(57)【特許請求の範囲】
【請求項１】
下階の玄関の少なくとも一部の上方が、屋根に設けられた開閉可能な天窓部まで吹き抜ける吹抜け空間となっており、
この吹抜け空間に、通風性および採光性を有する通風採光床が上階の床の高さとほぼ等しい位置に設けられ、
前記吹抜け空間の上階部分は、少なくとも一部に透光性を有しかつ外部に面するガラス板が設けられた壁によって囲まれた囲繞空間となっており、
前記壁に前記囲繞空間に出入りするための出入口が設けられており、
前記囲繞空間の上部に、上方に向かうにしたがって漸次接近し、かつ上端部が前記天窓部に繋がる対向する勾配天井を備えており、
この勾配天井または該勾配天井の近傍に、物干し棒が設けられていることを特徴とする建物の吹抜け構造。
【請求項２】
請求項１に記載の建物の吹抜け構造において、
前記吹抜け空間の上階部分は、下階部分より横断面が小さくなっていることを特徴とする建物の吹抜け構造。
【請求項３】
請求項１または２に記載の建物の吹抜け構造において、
前記天窓部は、上端部が前記屋根から突出する筒体と、この筒体の上端開口を開閉する開閉窓と、前記筒体の上端部の側壁に設けられた換気手段とを備えていることを特徴とする建物の吹抜け構造。
【請求項４】
請求項１〜３のいずれか一項に記載の建物の吹抜け構造において、
前記囲繞空間に隣接して洗濯機置場を備えた洗面室が配置されており、
前記出入口は、前記囲繞空間と前記洗面室とを仕切る壁に設けられていることを特徴とする建物の吹抜け構造。
【請求項５】
請求項１〜４のいずれか一項に記載の建物の吹抜け構造において、
前記囲繞空間と建物内の他の空間とを仕切る壁に、透光性を有する透光板が前記ガラス板と対向して設けられていることを特徴とする建物の吹抜け構造。
【請求項６】
請求項１〜５のいずれか一項に記載の建物の吹抜け構造において、
前記囲繞空間を囲む壁に、建物内の他の空間に連通する開口部が設けられていることを特徴とする建物の吹抜け構造。
【発明の詳細な説明】
【技術分野】
【０００１】
本発明は、玄関の少なくとも一部の上方が、屋根に設けられた開閉可能な天窓部まで吹き抜ける吹抜け空間となっている建物の吹抜け構造に関する。
【背景技術】
【０００２】
玄関において、通気、採光などを得るために、玄関の上方を、屋根に設けられた開閉可能な天窓まで吹き抜ける吹抜け空間とした吹抜け構造が知られている（例えば特許文献１参照）。
特許文献１に記載の吹抜け構造は、上階に設けられた部屋の外側に勾配屋根が配置され、その勾配屋根の下側は下階に連通する吹抜け空間となっており、前記勾配屋根には前記吹抜け空間に連通する天窓が設けられているとともに、前記部屋の壁には前記天窓に臨む開口部が設けられているものである。
【先行技術文献】
【特許文献】
【０００３】
【特許文献１】特開平７−３４６７９号公報
【発明の概要】
【発明が解決しようとする課題】
【０００４】
ところが、上記従来の吹抜け構造では、勾配屋根の下側が、玄関上方の吹抜け空間となっており、勾配屋根に天窓があるので、玄関に採光が得られる反面、吹抜け空間の上部は床がないデッドスペースとなって有効利用できないという課題があった。
【０００５】
本発明は上記事情に鑑みてなされたもので、玄関上の吹抜け空間の上部を有効利用できる建物の吹抜け構造を提供することを課題としている。
【課題を解決するための手段】
【０００６】
上記課題を解決するために、請求項１に記載の発明は、例えば図１〜図４に示すように、下階の玄関１の少なくとも一部の上方が、屋根１５に設けられた開閉可能な天窓部１６まで吹き抜ける吹抜け空間１７となっており、
この吹抜け空間１７に、通風性および採光性を有する通風採光床１８が上階の床の高さとほぼ等しい位置に設けられ、
前記吹抜け空間１７の上階部分は、少なくとも一部に透光性を有しかつ外部に面するガラス板２２が設けられた壁２０ａ〜２０ｄによって囲まれた囲繞空間２１となっており、
前記壁２０ａに前記囲繞空間２１に出入りするための出入口２１ａが設けられており、
前記囲繞空間２１の上部に、上方に向かうにしたがって漸次接近し、かつ上端部が前記天窓部１６に繋がる対向する勾配天井３０，３０を備えており、
この勾配天井３０，３０または該勾配天井３０，３０の近傍に、物干し棒３１が設けられていることを特徴とする。
【０００７】
請求項１に記載の発明によれば、吹抜け空間１７に通風採光床１８が上階の床の高さとほぼ等しい位置に設けられ、吹抜け空間１７の上階部分が囲繞空間２１となっており、壁２０ａに囲繞空間２１に出入りするための出入口２１ａが設けられているので、玄関１への採光や通風を確保しつつ吹抜け空間１７の上部の囲繞空間２１を有効利用できる。
また、囲繞空間２１に出入口２１ａから容易に出入りできるとともに、囲繞空間２１は壁２０ａ〜２０ｄによって囲まれているので、囲繞空間２１に洗濯物を干したりしても目立つことがない。
また、ガラス板２２を通して洗濯物に日差しを当てることができるとともに、洗濯物から出る湿気を、天窓部１６を開けて外部に逃がすことができる。
また、囲繞空間２１の上部に、上方に向かうにしたがって漸次接近し、かつ上端部が天窓部１６に繋がる対向する勾配天井３０，３０を備えているので、上昇する空気の流速は上昇するにつれて速くなる。そして、勾配天井３０，３０または該勾配天井３０，３０の近傍に、物干し棒３１が設けられているので、この物干し棒３１に掛けられた洗濯物が早く乾く。
【０００８】
請求項２に記載の発明は、請求項１に記載の建物の吹抜け構造において、
前記吹抜け空間１７の上階部分は、下階部分より横断面が小さくなっていることを特徴とする。
【０００９】
請求項２に記載の発明によれば、吹抜け空間１７の上階部分は、下階部分より横断面が小さくなっているので、下階から上昇する空気の流速が上階部分の方が下階部分より速くなる。このため、上階部分の囲繞空間２１での洗濯物の乾燥を促進できる。
【００１０】
請求項３に記載の発明は、請求項１または２に記載の建物の吹抜け構造において、
前記天窓部１６は、上端部が前記屋根１５から突出する筒体２６と、この筒体２６の上端開口を開閉する開閉窓２７と、前記筒体２６の上端部の側壁に設けられた換気手段２８とを備えていることを特徴とする。
【００１１】
請求項３に記載の発明によれば、雨天の際や夏季の日中は、天窓部１６の開閉窓２７を閉じるとともに、換気手段２８を作動することによって、この換気手段２８によって囲繞空間２１の空気を外部に排気できるとともに、雨や外部の熱気の侵入を防止できる。
【００１４】
請求項４に記載の発明は、請求項１〜３のいずれか一項に記載の建物の吹抜け構造において、
前記囲繞空間２１に隣接して洗濯機置場１３ａを備えた洗面室１３が配置されており、
前記出入口２１ａは、前記囲繞空間２１と前記洗面室１３とを仕切る壁２０ａに設けられていることを特徴とする。
【００１５】
請求項４に記載の発明によれば、囲繞空間２１への出入口２１ａが囲繞空間２１と、洗濯機置場１３ａを備えた洗面室１３とを仕切る壁２０ａに設けられているので、洗濯物を囲繞空間２１にすぐに持ち込んで、干すことができる。また、洗面室１３の湿気を囲繞空間２１に逃がして素早くとることができる。
【００１６】
請求項５に記載の発明は、請求項１〜４のいずれか一項に記載の建物の吹抜け構造において、
前記囲繞空間２１と建物内の他の空間（例えば廊下１２）とを仕切る壁２０ｄに、透光性を有する透光板２４が前記ガラス板２２と対向して設けられていることを特徴とする。
【００１７】
請求項５に記載の発明によれば、囲繞空間２１と建物内の他の空間（例えば廊下１２）とを仕切る壁２０ｄに、透光性を有する透光板２４が、外部に面するガラス板２２と対向して設けられているので、建物内の他の空間（例えば廊下１２）に、外部からガラス板２２、透光板２４を通して、採光を確保できる。
【００１８】
請求項６に記載の発明は、請求項１〜５のいずれか一項に記載の建物の吹抜け構造において、
前記囲繞空間２１を囲む壁２０ｃに、建物内の他の空間（例えば階段室９）に連通する開口部２３が設けられていることを特徴とする。
【００１９】
請求項６に記載の発明によれば、囲繞空間２１を囲む壁２０ｃに、建物内の他の空間（例えば階段室９）に連通する開口部２３が設けられているので、囲繞空間２１と建物内の他の空間（例えば階段室９）との間で通風性を確保できる。
【発明の効果】
【００２０】
本発明によれば、下階の玄関の少なくとも一部の上方が、屋根に設けられた開閉可能な天窓部まで吹き抜ける吹抜け空間に、通風性および採光性を有する通風採光床が上階の床の高さとほぼ等しい位置に設けられ、吹抜け空間の上階部分は、少なくとも一部に透光性を有しかつ外部に面するガラス板が設けられた壁によって囲まれた囲繞空間となっており、前記壁に前記囲繞空間に出入りするための出入口が設けられているので、玄関への採光や通風を確保しつつ吹抜け空間の上部を有効利用できる。
また、囲繞空間に出入口から容易に出入りできるとともに、囲繞空間に洗濯物を干したりしても目立つことがない。
また、ガラス板を通して洗濯物に日差しを当てることができるとともに、洗濯物から出る湿気を天窓を開けて外部に逃がすことができる。
【図面の簡単な説明】
【００２１】
【図１】本発明に係る建物の吹抜け構造の一例を示すもので、吹抜け構造を示す縦断面図である。
【図２】同、図１におけるＡ−Ａ線断面図である。
【図３】同、吹抜け構造を備えた建物の１階の平面図である。
【図４】同、吹抜け構造を備えた建物の２階の平面図である。
【図５】同、吹抜け構造を備えた建物の正面図である。
【発明を実施するための形態】
【００２２】
以下、図面を参照して本発明の実施の形態について説明する。
図１〜図５は本発明に係る建物の吹抜け構造の一例を示すもので、図１は吹抜け構造を示す縦断面図、図２は図１におけるＡ−Ａ線断面図、図３は吹抜け構造を備えた建物の１階の平面図、図４は同２階の平面図、図５は同建物の正面図である。
【００２３】
まず、図３および図４を参照して、建物の１階および２階の間取りについて説明する。１階の北西の角部には、玄関１が設けられている。玄関１は玄関土間１ａと玄関ホール１ｂとを備えており、玄関１の北側にはトイレ２が設けられている。
また、１階の南西の角部にはリビング３が設けられており、このリビング３の東側にダイニング４がリビング３と連続して設けられている。ダイニング４の北側にはキッチン５が設けられている。
玄関１とリビング３との間には、収納室６が設けられている。この収納室６は踊り場７の下方に設けられた空間であり、その天井高さは０．９〜１．４ｍ程度に設定されている。収納室６には、玄関１に面して設けられた出入口６ａと、リビング３に面して設けられた出入口６ｂの双方から出入りできるようになっている。
また、１階の床と踊り場７との間には階段８ａが設けられており、踊り場７と２階の床との間には階段８ｂが設けられている（図４参照）。
なお、前記収納室６、踊り場７、階段８ａ，８ｂは１階床から２階天井まで吹き抜ける階段室９に設けられている。
【００２４】
２階の南西の角部には寝室１０が設けられており、東略半分には子供部屋１１が設けられている。２階の略中央部には、廊下１２が南北に延在して設けられており、この廊下１２の南側の端部からドア１０ａを開けて寝室１０に出入りできるようになっている。
また、廊下１２の北側には洗面室１３が設けられており、この洗面室１３に廊下１２の北側の端部からドア１３ｃを開けて出入りできるようになっている。洗面室１３には、洗濯機置場１３ａが設けられており、この洗濯機置場１３ａに洗濯機１３ｂが設置されている。
洗面室１３の西側には浴室１４が設けられており、洗面室１３から出入りできるようになっている。
また、前記階段８ｂは廊下１２の略中央部に接続されており、この廊下１２を通って、寝室１０、子供部屋１１、洗面室１３に出入りできるようになっている。
【００２５】
次に、本発明に係る建物の吹抜け構造について説明する。
図１〜図４に示すように、１階（下階）の玄関１の少なくとも一部の上方が、屋根１５に設けられた開閉可能な天窓部１６まで吹き抜ける吹抜け空間１７となっている。つまり、図１、図２および図４に示すように、玄関１の玄関土間１ａの一部と玄関ホール１ｂの一部の上方が、平面視矩形状の吹抜け空間１７となっている。
吹抜け空間１７の２階部分は、図２に示すように、１階部分より横断面が小さくなっている。つまり、吹抜け空間１７の流路断面積は、２階部分の方が１階部分より小さくなっている。
【００２６】
前記吹抜け空間１７には、図１および図２に示すように、通風採光床１８が２階（上階）の床の高さとほぼ等しい位置に設けられている。この通風採光床１８は、通風性および採光性を有するものであり、繊維強化樹脂等で形成され矩形板状のグレーチングによって構成されている。したがって、通風採光床１８には多数の孔が格子状に設けられており、これによって、通風性および採光性を有するとともに、軽量で強度の高いものとなっている。
通風採光床１８の直下には、ルーバ天井１９が設けられている。このルーバ天井１９は平面視において前記通風採光床１８とほぼ等しい大きさのものであり、矩形枠１９ａに複数のルーバ１９ｂ・・・を所定間隔で平行に複数取り付けることによって構成されている。ルーバ１９ｂは水平面に対して傾斜するものであり、玄関１に居る人からの目線が、通風採光床１８上に届かないようにするためのものである。
【００２７】
通風採光床１８の上、つまり、吹抜け空間１７の２階部分（上階部分）は、壁２０ａ，２０ｂ，２０ｃ，２０ｄによって囲まれた平面視矩形状の囲繞空間２１となっている。
壁２０ａは囲繞空間２１と、洗面室１３および浴室１４とを仕切る壁であり、この壁２０ａに囲繞空間２１に出入りするため出入口２１ａが洗面室１３に面して設けられており、この出入口２１ａはドア２１ｂによって開閉されるようになっている。つまり、囲繞空間２１に隣接して洗面室１３が配置されており、洗面室１３から出入口２１ａを通って囲繞空間２１に出入りできるようになっている。
壁２０ｂは、図３および図４に示すように、囲繞空間２１と外部とを仕切る外壁であり、この壁２０ｂには、外部に面する透明なガラス板２２が嵌め込まれている。ガラス板２２の左右の幅は、囲繞空間２１の平面視における短辺とほぼ等しい長さとなっており、上下の高さは囲繞空間２１の天井高、つまり通風採光床１８から水平天井までの高さとほぼ等しくなっている。
壁２０ｃは、囲繞空間２１と、前記階段室９とを仕切る壁であり、この壁２０ｃには、建物内の他の空間（階段室９）に連通する開口部２３が設けられている。
壁２０ｄは、囲繞空間２１と建物内の他の空間（廊下１２）とを仕切る壁であり、この壁２０ｄには、透光性を有する透光板２４が前記ガラス板２２と対向して設けられている。透光板２４は例えばスリガラスや、透明ではないが透光性を有する樹脂製の板によって構成されている。
壁２０ｄの囲繞空間２１側を向く面には、凹部が設けられており、この凹部には複数の棚板２５が設けられている。なお、この凹部の底面は前記透光板２４によって構成されている。
【００２８】
前記天窓部１６は、図１および図４に示すように、上端部が屋根１５から突出する筒体２６と、この筒体２６の上端開口を開閉する開閉窓２７と、筒体２６の上端部の側壁に設けられた換気手段２８とを備えている。
筒体２６は四角筒状のものであり、その上端面は屋根１５の傾斜方向とほぼ平行に傾斜している。開閉窓２７は矩形枠体に透明なガラス板を嵌めこんでなるものであり、筒体２６の上端部に上下に回動可能に取り付けられている。開閉窓２７は、建物内の所定の位置に設けられたコントローラによって開閉操作できるようになっている。
換気手段２８は、屋根１５から突出している筒体２６の側壁に形成された開口部２８ａと、この開口部２８ａを開閉する図示しないシャッタと、換気扇２８ｂとから構成されている。そして、換気扇２８ｂは建物内の所定の位置に設けられたコントローラによって作動、停止操作できるようになっており、換気扇２８ｂを作動させるとシャッタが開き、換気扇２８ｂを停止させるとシャッタが閉じるようになっている。
【００２９】
前記囲繞空間２１の上部には、上方に向かうにしたがって漸次接近し、かつ上端部が前記天窓部１６の筒体２６に繋がる対向する勾配天井３０，３０が設けられている。勾配天井３０，３０は、囲繞空間２１の水平天井の一部に矩形状の開口を形成し、この開口の縁部と筒体２６の下端縁とを繋ぐようにして形成されている。
前記勾配天井３０，３０の下方近傍に、複数の物干し棒３１が対向する壁２０ｂ，２０ｄ間において、一定間隔で平行に設けられている。
なお、物干し棒３１は、勾配天井３０，３０に架設するようにして設けてもよい。
【００３０】
本実施の形態によれば、吹抜け空間１７に通風採光床１８が上階の床の高さとほぼ等しい位置に設けられ、吹抜け空間１７の上階部分が囲繞空間２１となっており、壁２０ａに囲繞空間２１に出入りするための出入口２１ａが設けられているので、玄関１への採光や通風を確保しつつ吹抜け空間１７の上部の囲繞空間２１を有効利用できる。
また、囲繞空間２１に出入口２１ａから容易に出入りできるとともに、囲繞空間２１は壁２０ａ〜２０ｄによって囲まれているので、囲繞空間２１に洗濯物を干したりしても目立つことがない。
また、ガラス板２２を通して洗濯物に日差しを当てることができるとともに、洗濯物から出る湿気を天窓部１６を開けて外部に逃がすことができる。
さらに、吹抜け空間１７の上階部分が、下階部分より横断面が小さくなっているので、下階から上昇する空気の流速が上階部分の方が下階部分より速くなる。このため、上階部分の囲繞空間２１での洗濯物の乾燥を促進できる。
【００３１】
また、雨天の際や夏季の日中は、天窓部１６の開閉窓２７を閉じるとともに、換気手段２８を作動することによって、この換気手段２８によって囲繞空間２１の空気を外部に排気できるとともに、雨や外部の熱気の侵入を防止できる。
また、囲繞空間２１の上部に、上方に向かうにしたがって漸次接近し、かつ上端部が天窓部１６に繋がる対向する勾配天井３０，３０を備えているので、上昇する空気の流速は上昇するにつれて速くなる。そして、勾配天井３０，３０または該勾配天井３０，３０の近傍に、物干し棒３１が設けられているので、この物干し棒３１に掛けられた洗濯物が早く乾く。
【００３２】
さらに、囲繞空間２１への出入口２１ａが囲繞空間２１と、洗濯機置場１３ａを備えた洗面室１３とを仕切る壁２０ａに設けられているので、洗濯物を囲繞空間２１にすぐに持ち込んで、干すことができる。また、洗面室１３の湿気を囲繞空間２１に逃がして素早くとることができる。
また、囲繞空間２１と建物内の廊下１２とを仕切る壁２０ｄに、透光性を有する透光板２４が、外部に面するガラス板２２と対向して設けられているので、廊下１２に、外部からガラス板２２、透光板２４を通して、採光を確保できる。
また、囲繞空間２１を囲む壁２０ｃに、階段室９に連通する開口部２３が設けられているので、囲繞空間２１と階段室９との間で通風性を確保できる。
また、通風採光床１８の直下に、ルーバ天井１９が設けられているので、玄関１に居る人からの目線が、通風採光床１８上の囲繞空間に届かない。したがって、玄関１に来客があっても、囲繞空間２１で作業を行い易い。
【符号の説明】
【００３３】
１  玄関
１３  洗面室
１３ａ  洗濯機置場
１５  屋根
１６  天窓部
１７  吹抜け空間
１８  通風採光床
２０ａ〜２０ｄ  壁
２１  囲繞空間
２１ａ  出入口
２２  ガラス板
２３  開口部
２４  透光板
２６  筒体
２７  開閉窓
２８  換気手段
３０  勾配天井
３１  物干し棒
【図１】
0005502423.tif 000002
【図２】
0005502423.tif 000003
【図３】
0005502423.tif 000004
【図４】
0005502423.tif 000005
【図５】
0005502423.tif 000006